(57)【要約】【課題】  本発明は、楽器、補聴器、音響機器、テレビ、ラジオ、歌、人の話し声等から空気を振動して伝わる気導音は、大気中の電波、電磁波、磁気抵抗、静電気、イコライズ、音響フィルタ、ノイズキャンセリング、反響や残響の除去、追加等の様々な障害が緩和し音に悪影響に対処する方法に関する。【解決手段】  上記課題を解決するために本発明は、このような目的を達成するために、パイプ磁石、銅芯円柱、ラジウム鉱石粉末、ブラックトルマリン、ブラックカーボン粉末、チタンセラミック、遠赤外線放射セラミック、サファイア鉱石、カーボン繊維、凝固剤を陶磁器製のピラミッド型に組込、気導音源発信部に至近に設置し、気導音、電波等の力により鉱石の備え持つ力で悪影響を及ぼす波形の歪み要因を緩和する音響室内を提供する視聴、聴取装置してスタジオ、音響室、室内ホール、野外ホール等の範囲の広い場合には、本発明を複数分散して設置する。さらに大掛かりな設備や装置、また電気等も必要とせず、気導音、電気画像に対しものである。【選択図】図１
2010246073.tif 000002
【特許請求の範囲】
【請求項１】
パイプ磁石、銅芯円柱、ラジウム鉱石粉末、ブラックトルマリン、ブラックカーボン粉末、チタンセラミック、遠赤外線放射セラミック、サファイア鉱石、カーボン繊維、凝固剤を組込んだ気導音、および電波の歪みを緩和してイコライズ、音響フィルタ、ノイズキャンセリング、反響や残響の除去、追加等の障害を緩和する視聴、聴取装置。
【請求項２】
請求項１記載、請求項２記載の音響室歪み緩和装置において、ピラミッド型を有する陶器製容器に気導音、および電波の歪みを緩和する視聴、聴取装置。
【請求項３】
請求項１記載、請求項２記載の装置で、気導音、電波等の力により鉱石の備え持つ力を増幅して画像信号の歪みを緩和する聴取装置。
【請求項４】
請求項１、請求項２、請求項３記載の音響の歪み緩和装置において、楽器、補聴器、音響機器、テレビ、ラジオ、歌、人の話し声等から発信される気導音に対する音響室歪み緩和視聴装置。
【発明の詳細な説明】
【技術分野】
【０００１】  この発明は、楽器、補聴器、音響機器、テレビ、ラジオ、人の話し声等の気導音、および画像等の電波の歪みの要因である大気中の電波、電磁波、磁気抵抗、静電気、イコライズ、音響フィルタ、ノイズキャンセリング、反響や残響の除去、追加等の様々な障害を緩和させる方法に関する。
【背景技術】
【０００２】  気導音を発生源には声、楽器、ラジオ、ステレオ、テレビ数えきれないほどの発生源があるが耳、マイク、アンプ、スピーカー等に伝道する間に本質音である気導音に及ぼす影響には、自然界の地下水脈、大地の割れ目、断層部にバンアレン帯から漏れた宇宙線と太陽風が反射して地球の自転による遠心力により地表まで磁場の乱れ、人工的では電気、ケーブル線、送電線、地下鉄、地下街、下水管等から様々な物の流れによる摩擦により発生する静電等がノイズの発生や波形が歪められた気導音、また画像も歪められた不鮮明な画像なのでこれらの悪条件を緩和、または削除することが望ましい。
【先行技術文献】
【特許文献】
【０００３】
【特許文献１】特許公開２００９−１７６１０
【特許文献２】特許出願２００５−１９０２７２
【特許文献３】特許出願２００２−５０１５２０
【特許文献４】特許公表２００３−５３４８８６
【発明の概要】
【発明が解決しようとする課題】
【０００４】  本発明は、楽器、補聴器、音響機器、テレビ、ラジオ、歌、人の話し声等から空気を振動して伝わる気導音、さらに大気中の電波、電磁波、磁気抵抗、静電気の様々な障害を受けている音、画像等に歪みの悪影響を除去することができずなくスピーカ、楽器、歌、人の声の音質がイコライズ、音響フィルタ、ノイズキャンセリング、反響や残響の除去、追加等により低下させてしまうという問題があるので、高品質な音響、画質システムを作り出すことにある。
【課題を解決するための手段】
【０００５】  本発明は、このような目的を達成するために、陶磁器製のピラミッドの内部にパイプ磁石、銅芯円柱、ラジウム鉱石、ブラックトルマリン、ブラックカーボン粉末、チタンセラミック、遠赤外線放射セラミック、サファイア鉱石、カーボン繊維、凝固剤、パイプ磁石、を組込組込んだ装置不必要外の電波、電磁波、磁気抵抗、静電気の様々な障害を緩和させる機能を備えたものである。【０００８】  その形状については、模似科学ではあるが陶磁器製のピラミッド型が上記緩和能力を増幅させることが好適である形状の容器内１０にパイプ磁石２０、銅芯円柱３０、ラジウム鉱石４０、ブラックトルマリン５０、ブラックカーボン粉末６０、チタンセラミック７０、遠赤外線放射セラミック８０、サファイア鉱石９０、カーボン繊維１００、凝固剤１１０を備えたものである。【０００９】  上記内容に気導音、電波等の力が加わり鉱石の備え持つ力を増幅して気導音の発信源、また音響信号もしくは電気信号等の精製、合成、編成装置機器等の至近もしくは付近に同装置、機器へ接触できる状態に設置することで容易に求めることができる。【００１０】  スタジオ、音響室、室内ホール、野外ホール等の範囲の広い場合には、さらに本発明を複数要所に分散して設置することも好適である。【００１１】  以上説明したように、本発明によれば、大掛かりな設備や装置、また電気等も必要とせず、気導音に対し悪影響を及ぼす波形の歪み要因を緩和する音響室内を得ることができる。
【発明の効果】
【００１２】  この発明によれば、大掛かりな設備や装置また電気等も必要とせず、大気中の電波、電磁波、磁気抵抗、静電気やイコライズ、音響フィルタ、ノイズキャンセリング、反響や残響の除去、追加などの様々な悪影響を及ぼすことがなく聴者に透明感のあるクリアで忠実音、忠実画を実現し心地良く、視聴、聴取としてより良好で立体的な遠近感のある音にします。【００１３】  音源となる生の楽器、人の声、電気信号等を使用する楽器等の音源発生源、音響機器としてマイク、アンプ、スピーカー等の電気信号集約装置等を介し録音入力、最終者がテープ、ＣＤ、レコード、メモリー等、有線、無線の信号変換経路においても電波、電磁波、磁気抵抗、静電気の様々な悪影響を及ぼすことがなく忠実な気導音としてより良好な表現できる。【００１４】  また画像では、デジタルカメラ、ビデオカメラ等の電気信号集約装置等を介し録画入力、最終者がテープ、ＤＶＤ、ブルーレイ、メモリー等、有線、無線の信号変換経路においても電波、電磁波、磁気抵抗、静電気の様々な悪影響を及ぼすことがなく忠実な画面としてより良好な表現できる。【００１５】  また微小電気信号、微小音波においても各変換状況に悪影響を及ぼすことがないので微小信号、微小な音波の情報においてもノイズもなく正確な情報として視聴、聴取できる。【００１６】  業務用から個人用に至るまで施設や機材の大小に見合った設置を行うことで、音楽、撮影スタジオを含め、各業務用、民生用、家庭用で使用される様々な音響機器、映像機器類に対して使用し実施できるという利点がある。【００１７】  さらに音波、電波が壁、天井、床等の障害物による乱反射、共鳴、互いに打ち消し合う状況においける歪みやノイズにおける症状も軽減でき忠実な情報として視聴、聴取できる。
【図面の簡単な説明】
【００１８】
【図１】本発明の気導音、および電波の歪みを緩和する視聴、聴取装置の断面形状を示す模式図
【図２】同じく、本発明の斜視図
【図３】音の発信源であるスピーカー上に設置した設置図
【図４】スタジオ、音響室、室内ホール、野外ホール等における音響室歪み緩和装置の設置図
【図５】声、または楽器等の発信源等における音響室歪み緩和装置の至近設置図
【図６】音響室歪み緩和装置と従来方式の気導音分布を対比図
【発明を実施するための形態】
【００１９】  上記の課題を解決するために、この発明はパイプ磁石、銅芯円柱、ラジウム鉱石、ブラックトルマリン、ブラックカーボン粉末、チタンセラミック、遠赤外線放射セラミック、サファイア鉱石、カーボン繊維、凝固剤を陶磁器製のピラミッド型内に組込み音の発信源であるスピーカー上、至近もしくは接触して忠実な音をスピーカーから出力させることができる。
【００２０】  さらに、スタジオ、音響室、室内ホール、野外ホール等大きな会場での場合には、機能の低下を起こすため複数設けることで、忠実な音を聞き取ることができる。
【実施例】
【００２１】  以下図面を参照して上述の原理を具体化した本発明の実施例を詳細に説明する。本実施例は本発明を音、映像の発信源、視聴、聴取する場所に適切に施工することにより、音響製品の音質改善、高画質向上など総合的に改善する。【００２２】  また楽器、歌、人の話し声、またはスピーカー等の気導音発信源の上部、または至近に設置した気導音、および電波の歪みを緩和する視聴、聴取装置の説明図である。【００２３】  音響室歪み緩和装置をスタジオ、音響室、室内ホール、野外ホール等の四隅、または音響室歪み緩和装置の能力に見合う距離を保つ等間隔に設けても良い。
【産業上の利用可能性】
【００２４】  小型で安価な装置として、音響、ラジオ、テレビ、産業への応用分野が極めて広い。
【符号の説明】０１．    本体装置
１０．    ピラミッド型陶磁器ケース
２０．    パイプ磁石
３０．    銅芯円柱
４０．    ラジウム鉱石粉末
５０．    ブラックトルマリン
６０．    ブラックカーボン粉末
７０．    チタン・セラミック玉
８０．    遠赤外線放射セラミック玉
９０．    サファイア鉱石
１００．  カーボン繊維
１１０．  凝固剤
１２０．  スピーカー
１３０．  気導音
１４０．  視聴、聴取者
１５０．  楽器等
【図１】
2010246073.tif 000003
【図２】
2010246073.tif 000004
【図３】
2010246073.tif 000005
【図４】
2010246073.tif 000006
【図５】
2010246073.tif 000007
【図６】
2010246073.tif 000008